(57)【要約】【課題】本発明は、電子線回折像を用いて、微小な結晶粒の結晶方位解析を可能にし、また、解析を自動化することにより、多点の結晶方位を迅速に解析することを目的とする。【解決手段】本発明は、電子線を試料に照射して透過電子を検出する透過電子顕微鏡において、前記透過電子顕微鏡は、前記試料の電子線回折像を撮像する電子線回折像撮像部と、前記試料の組成情報を取得する検出部と、前記電子線回折像から格子面間隔の情報を取得する解析部と、前記取得された組成情報と前記格子面間隔の情報から試料の同定を行う物質同定部と、前記同定された試料の情報から、前記試料の回折像を演算する演算部と、を有し、当該演算された回折像と前記電子線回折像とのずれ量に基づいて、前記試料の結晶方向を特定することを特徴とする。【選択図】  図１
2010256261.tif 000002
【特許請求の範囲】
【請求項１】
電子線を試料に照射して透過電子を検出する透過電子顕微鏡において、
前記透過電子顕微鏡は、前記試料の電子線回折像を撮像する電子線回折像撮像部と、
前記試料の組成情報を取得する検出部と、
前記電子線回折像から格子面間隔の情報を取得する解析部と、
前記取得された組成情報と前記格子面間隔の情報から試料の同定を行う物質同定部と、
前記同定された試料の情報から、前記試料の回折像を演算する演算部と、
を有し、
当該演算された回折像と前記電子線回折像とのずれ量に基づいて、前記試料の結晶方向を特定することを特徴とする透過電子顕微鏡。
【請求項２】
請求項１において、
ＥＤＸ検出器により前記試料の組成情報を取得することを特徴とする透過電子顕微鏡。
【請求項３】
請求項１において、
前記電子線回折像の回折スポットの重心と、透過波スポットとの位置ずれ方向及び大きさを考慮して、前記演算された回折像を取得することを特徴とする透過電子顕微鏡。
【請求項４】
前記演算された回折像は、前記試料の晶帯軸の指数の小さいほうから演算することを特徴とする透過電子顕微鏡。
【請求項５】
試料に電子線を照射して得られる電子線回折像を撮像する電子線回折像撮像部と、
前記試料の組成情報を取得する検出部と、
前記電子線回折像から格子面間隔の情報を取得する解析部と、
前記取得された組成情報と前記格子面間隔の情報から試料の同定を行う物質同定部と、
前記同定された試料の情報から、前記試料の回折像を演算する演算部と、
を有し、
当該演算された回折像と前記電子線回折像とのずれ量に基づいて、前記試料の結晶方向を特定することを特徴とする解析システム。
【請求項６】
請求項５において、
ＥＤＸ検出器により前記試料の組成情報を取得することを特徴とする解析システム。
【請求項７】
請求項５において、
前記電子線回折像の回折スポットの重心と、透過波スポットとの位置ずれ方向及び大きさを考慮して、前記演算された回折像を取得することを特徴とする解析システム。
【請求項８】
前記演算された回折像は、前記試料の晶帯軸の指数の小さいほうから演算することを特徴とする解析システム。
【請求項９】
試料の電子線回折像の回折スポットの重心と、透過波スポットとの位置ずれ方向及び大きさに基づいて、試料の回折像を演算し、当該演算された回折像と電子線回折像を比較して、試料の結晶方位を決定すること
を特徴とする結晶方位解析方法。
【発明の詳細な説明】
【技術分野】
【０００１】
本発明は、透過電子顕微鏡、及び、結晶性試料の電子線回折像から結晶方位を同定する結晶方位同定システムを有する透過電子顕微鏡に関する。
【背景技術】
【０００２】
結晶性試料の結晶方位の解析手法として、従来からＸ線を用いたＸ線回折装置が用いられている。
【０００３】
また、電子線を用いた結晶方位の解析手法として、走査型電子顕微鏡（ＳＥＭ）ではＥＢＳＰ（Electron Back-Scattering Pattern），ＥＣＰ（Electron Channeling Pattern)を解析する方法が存在し、透過型電子顕微鏡（ＴＥＭ）では菊池パターン，ＣＢＥＤ（Convergent Beam Electron Diffraction），電子線回折像を解析する手法が存在する。
【０００４】
一例として、ＥＢＳＰ解析法は、擬菊池パターンを用いた手法であり、擬菊池パターンが結晶方位に敏感に反応するため、結晶粒の方位解析に利用されてきた。試料として圧延により製造された銅線や鋼板の内部結晶粒子の配向性を解析するのに使用されている。
【０００５】
また、電子線回折像を解析する手法として、特許文献１や特許文献２がある。
【先行技術文献】
【特許文献】
【０００６】
【特許文献１】特開２００６−２５８８２５号公報
【特許文献２】特開昭５９−１６３５４８号公報
【発明の概要】
【発明が解決しようとする課題】
【０００７】
近年、材料・デバイスの微細化が進み、微細構造の結晶配向性が注目されている。例えばＨＤＤの磁性膜の結晶配向性や結晶粒の結合角度を測定するために、直径１０ｎｍ程度の粒子の結晶方位解析をする必要が出てきた。
【０００８】
ＴＥＭでは、電子ビームを細く（数ｎｍ径）絞ることができるため、電子ビーム径の観点から結晶方位解析に適している。しかし、菊池パターン，ＣＢＥＤを用いた解析では、解析可能な試料に条件（試料厚さ，方位，組成）があり、すべての試料で結晶方位の解析ができるわけではなかった。
【０００９】
この点、電子線回折像は電子線が透過する試料であれば観察することができるため、菊池パターン，ＣＢＥＤのように試料厚さなどの試料の制限は少ない。電子線回折像も試料の結晶構造を反映した像であるため、ＥＤＸなどの元素分析装置とともに、物質同定に利用されてきた（例えば、特許文献１）。
【００１０】
しかし、電子線回折像を用いた結晶方位の決定手法については困難であった。特許文献１の手法では電子線回折像は物質同定のための情報を得るために使用されており、結晶方位についての言及はなされていない。また、電子線回折像を用いた方法でも、回折像を撮影し、解析することで、結晶方位を求めることは可能であるが、各点で回折像の撮影，解析を行うため、結晶配向性の解析に必要な多点の結晶方位解析をすることは労力および時間の関係上、困難であった。
【００１１】
特許文献２の手法では、対称性の高い回折図形の方位（低次晶帯軸）を求めることはできるが、低次晶帯軸から例えば５度程度ずれた場合の方位も低次晶帯軸の方位と算出されてしまう。なぜならば数度のずれでは回折スポットの強度が変わるだけでその出現位置は変化しない。よって、結晶の特定の方位しか解析できず、正確な結晶方位の特定はできない。
【００１２】
本発明は上記状況に鑑みてなされたもので、電子線回折像を用いて、微小な結晶粒の結晶方位解析を可能にし、また、解析を自動化することにより、多点の結晶方位を迅速に解析することを目的とする。
【課題を解決するための手段】
【００１３】
本発明は、電子線を試料に照射して透過電子を検出する透過電子顕微鏡において、前記透過電子顕微鏡は、前記試料の電子線回折像を撮像する電子線回折像撮像部と、前記試料の組成情報を取得する検出部と、前記電子線回折像から格子面間隔の情報を取得する解析部と、前記取得された組成情報と前記格子面間隔の情報から試料の同定を行う物質同定部と、前記同定された試料の情報から、前記試料の回折像を演算する演算部と、を有し、当該演算された回折像と前記電子線回折像とのずれ量に基づいて、前記試料の結晶方向を特定することを特徴とする。
【発明の効果】
【００１４】
電子線回折像を用いて自動で迅速に微小領域の結晶方位が同定できる。特に、低次晶帯軸から数度ずれた場合でも、正確な結晶方位の特定ができる。
【図面の簡単な説明】
【００１５】
【図１】本発明による物質同定システムの主な処理手順を示した説明図。
【図２】電子線回折像の説明図。
【図３】本発明による結晶方位同定システムの一例の概略構成図。
【図４】本発明による結晶方位同定システムの主な処理手順を示したフローチャート。
【図５】電子線が晶帯軸から入射する場合のエワルド球，逆格子点，電子線，電子線回折像の関係を示した模式図。
【図６】電子線が図５の場合より晶帯軸から少しずれた位置から入射する場合のエワルド球，逆格子点，電子線，電子線回折像の関係を示した模式図。
【図７】電子線回折像の強度重心，透過波スポット，晶帯軸の位置関係を示した模式図。
【図８】強度重心位置，傾斜方向を示した電子線回折像の一例を示す図。
【図９】図８から求めた晶帯軸のときのシミュレーション回折像と傾斜方向を示す図。
【図１０】図９のシミュレーション回折像をシミュレーションにより試料を傾斜方向に傾けた後のシミュレーション回折像とシミュレーション回折像の強度重心位置を示す図。
【発明を実施するための形態】
【００１６】
以下、図面を参照して本発明の実施の形態を説明する。
【００１７】
［実施例１］
図３は本発明による結晶方位同定システムの一例の概略構成図である。
【００１８】
この結晶方位同定システムは、電子線装置１，ＥＤＸ分析部２，電子線回折像解析部３，結晶構造のデータベースを備えた物質同定部４，結晶構造データを用いてシミュレーションにより回折像を作図できる機能を備えた結晶方位解析部５を備える。
【００１９】
電子線装置１は、電子銃１２，コンデンサーレンズ１３，対物レンズ１４，投射レンズ２４を備える。コンデンサーレンズ１３と対物レンズ１４の間には、電子線装置制御部１９の制御下にある走査電源１８から給電される走査コイル２７が配置されている。対物レンズ１４は強励磁により前磁場１４ａと後磁場１４ｂの２つのレンズ作用を有し、対物レンズ１４の前磁場１４ａと後磁場１４ｂの間には、試料微動装置２６により可動な試料ホルダ２５に装着された試料１５が挿入される。
【００２０】
試料１５の上方、走査コイル２７の下方には二次電子検出器６が配置されている。投射レンズ２４の下方には、円環状の暗視野像検出器８が配置され、暗視野像検出器８の下方には明視野像検出器７が光軸から出し入れ可能に設置されている。検出器６，７，８は、それぞれ信号増幅器１６，２０，２１を介して、ＣＲＴ等の走査像表示部１７に接続される。走査像表示部１７には走査電源１８からの走査信号も入力される。明視野像検出器７の下方には、電子線回折像検出器１０が配置されている。電子線回折像検出器１０は、電子線回折像解析部３を介して電子線回折像表示モニター１１に接続されている。
【００２１】
電子線解析像解析部３は電子線装置制御部１９および結晶方位解析部５とデータの通信が可能なように接続されている。また、対物レンズ１４の上方には、電子線照射によって試料から発生された特性Ｘ線を検出するためのＥＤＸ検出器９が配置されており、ＥＤＸ検出器９はＥＤＸ分析部２に接続されている。なお、電子線装置制御部１９，ＥＤＸ分析部２，結晶方位解析部５および電子線回折像解析部３は、それぞれ物質同定部４とデータの通信が可能なように接続されている。
【００２２】
図１は結晶方位同定システムの主な処理手順を示した説明図である。
（１）まず、電子線装置１で試料の測定領域に電子線を照射し、試料形状および構造を二次電子検出器６，明視野像検出器７または暗視野像検出器８にて二次電子像，明視野像または暗視野像を観察する。結果は電子線装置制御部１９に保存される。
（２）走査電子線を試料の測定対象となる領域に停止する。このとき形成された電子線回折像は電子線回折像検出器１０で取り込まれる。回折像観察結果は電子線回折像表示モニター１１上に表示される。回折像観察記録は電子線回折像解析部３に保存される。保存と同時に、その画像ファイル名または画像データが物質同定部４に入力される。
【００２３】
次に、電子線回折像から測定値Ｒを求め、結晶の格子面間隔ｄを求める。図２は電子線回折像の一例である。ここで、測定値Ｒは透過波スポットと回折波スポットの距離を示す。格子面間隔ｄはｄ＝Ｌλ／Ｒで与えられる。Ｌはカメラ長、λは電子線の波長であり、Ｌλは定数であるので、Ｌλを既知の物質のｄ，Ｒを使って予め求めておけば、測定値Ｒから格子面間隔ｄを算出することができる。算出された結晶の格子面間隔値は電子線回折像解析部３に保存され、そのデータが物質同定部４に入力される。
（２′）電子線回折像撮影と同時にＥＤＸ分析を開始する。得られたＥＤＸスペクトルはＥＤＸ分析部２に保存される。保存と同時に、そのファイル名またはＥＤＸスペクトルデータが物質同定部４に入力される。
【００２４】
ＥＤＸスペクトルから電子線照射領域の試料の構成元素を求める。得られた組成データはＥＤＸ分析部２に保存されると同時に、物質同定部４に入力される。
（３）物質同定部４では上記で得られた結晶の格子面間隔データ及び上記で得られた組成データを照合し、結晶構造データベースから該当する物質を検索する。検索結果は物質同定部４に保存され、その結晶構造データが電子線回折像解析部３及び結晶方位解析部５に入力される。
（４）電子線回折像解析部３では格子面間隔データｄと上記で得られた結晶構造データを照合し、電子線回折像の低次晶帯軸を求める。晶帯軸とは、結晶において、ある方向に平行な面の群を晶帯といい、その方向のことをいう。ここでは晶帯軸［ｕｖｗ］のうち低次（ｕ，ｖ，ｗの小さい）のを低次晶帯軸と呼ぶことにする。照合結果は電子線回折像解析部３に保存され、結晶方位解析部（回折像演算部）５に入力される。
（５）結晶方位解析部５では、上記で得られた結晶構造データと上記で得られた晶帯軸データからシミュレーション回折像を作図する。シミュレーション回折像は結晶方位解析部５に記憶される。
（６）電子線回折像解析部３では電子線回折像から透過波スポット位置および回折像全体を対象としたｐｉｘｅｌ強度重心位置を算出する。計算結果は電子線回折像解析部３に記憶され、結晶方位解析部５に入力される。
【００２５】
また、電子線回折像解析部３において電子線回折像のｐｉｘｅｌ強度重心位置１０２と透過波スポット位置１００から傾斜方向１０４を求める。結晶方位解析部５にて、傾斜方向１０４に試料を傾斜させたシミュレーション回折像を作図する。傾斜させたシミュレーション回折像が電子線回折像と等しくなれば、シミュレーション回折像から試料の傾斜角度、つまり結晶方位を読み取る。求めた結晶方位は結晶方位解析部５に保存される。
（７）結晶方位解析部５において、結晶方位および上記一連のデータを、解析箇所を示す固有なラベルで保存する。
【００２６】
図４は結晶方位解析システムの手順を説明するより詳細なフローチャートである。
【００２７】
電子線装置１で試料に電子線を照射し、電子線回折像Ｉmを観察する（Ｓ１）。回折像観察結果は電子線回折像解析部３に保存される。図２は観察した電子線回折像の一例である。中央の点が透過波スポット１００，周りの規則的に並んだ点が回折波スポット１０１である。ここで取り込まれる電子線回折像は一般的には不特定の結晶方位からのものである。
【００２８】
ここで、前もって観察した明視野像または暗視野像と観察した電子線回折像の上下左右が同じになるように撮影し保存する機構を持つほうが好ましい。
【００２９】
シミュレーション結晶方位解析の基準を設定するために、Ｉmから低次の晶帯軸Ａを求める（Ｓ２）。その方法は種々あるが、例えば、格子面間隔，構成元素および結晶構造データから、結晶構造を同定し、晶帯軸を各スポットの面指数から算出する方法があげられる。
【００３０】
結晶構造の同定は特許文献１に詳しい。その方法は、まず、電子線回折像Ｉmから測定値Ｒを実測し、格子面間隔ｄを算出する。ここで、測定値Ｒは透過波スポットと回折波スポットの距離であり（図２）、格子面間隔ｄはｄ＝Ｌλ／Ｒで与えられる。Ｌはカメラ長、λは電子線の波長であり、Ｌλは定数であるので、Ｌλを既知の物質を使って予め求めておけば、測定値Ｒから格子面間隔ｄを求めることができる。
【００３１】
次に、ＥＤＸなどの元素分析により、電子線照射領域の試料の構成元素を特定する。
【００３２】
次に、ＪＣＰＤＳカード等の結晶構造データと、格子面間隔データおよび組成データを比較し、実測値と一致する結晶を同定する。
【００３３】
低次晶帯軸Ａ［ｕｖｗ］は、例えば、２つの回折波の面指数（ｈ１  ｋ１  ｌ１），（ｈ２  ｋ２  ｌ２）と数１を用いて計算することができる。
【００３４】
【数１】
2010256261.tif 000003
【００３５】
ここで、（ａ*ｂ*ｃ*）は逆空間の基本ベクトルとする。
【００３６】
また、（ｈ１  ｋ１  ｌ１）から（ｈ２  ｋ２  ｌ２）へは反時計回りとする。
【００３７】
よって、求める晶帯軸Ａ［ｕｖｗ］は
［ｕｖｗ］＝［ｋ１＊ｌ２−ｌ１＊ｋ２  ｌ１＊ｈ２−ｈ１＊ｌ２
ｈ１＊ｋ２−ｋ１＊ｈ２]
となる。ここで、＊は積を示す。
【００３８】
予めＪＣＰＤＳカードなどの結晶構造データ、例えば格子定数，空間群，晶帯軸，原子位置などを保有するデータベースを作成，保存しておくほうが好ましい。
【００３９】
前項で求めた結晶系の晶帯軸Ａに対応する回折像をシミュレーションにより作図する（Ｓ３）。シミュレーションの条件は回折像Ｉmの撮影条件（加速電圧，カメラ長）と合うように設定する。電子線回折像Ｉmの透過波スポット周辺の回折波スポットとＩsの各スポットが一致するように、自動的にシミュレーションに回転操作を実行させる。作図したシミュレーション回折像Ｉsは結晶方位解析部に保存される。
【００４０】
電子線回折像Ｉmの透過波スポットおよび回折波スポットのｐｉｘｅｌ強度分布から回折像のｐｉｘｅｌ強度重心位置を求める（Ｓ４）。このとき回折像全体の重心を求めてもよいし、ＨＯＬＺを除いた回折像の重心を求めてもよい。また、透過波は中心の情報を常に持つため、透過波を除いた回折像の重心を求めてもよい。ＨＯＬＺや透過波を除くメリットは結晶の傾斜を敏感に捉えることができる点が挙げられる。
【００４１】
電子線回折像Ｉmの強度重心位置をＰmとする。Ｐmを求める方法は種々あるが、例えば、画素ｘの座標を（ｉ，ｊ）で示し、画素ｘのｐｉｘｅｌ強度をｗijとすると、Ｐ（ｐ，ｑ）は数２を用いて算出することができる。
【００４２】
【数２】
2010256261.tif 000004
【００４３】
次に、電子線回折像Ｉmが晶帯軸であるかどうかを確かめるため、透過波スポットＯmと強度重心位置Ｐmの差を求める（Ｓ５）。
【００４４】
図５，図６は電子線，逆格子および回折像の関係を示したものである。エワルド球２００と、面の逆格子点２０１が交わるとき、この面はブラッグの条件を満たし、この場所に回折波スポット１０１が存在する。逆格子は規則的に整列した点の集まりであり、そこをエワルド球が通るため、エワルド球と交わる逆格子点は円状に平面投影される。また、回折波スポットの強度はエワルド球からのずれで決まる。
【００４５】
ここで、試料の方位が低次の晶帯軸Ａである場合（図５（ａ））、エワルド球と交差する逆格子点は同心円状に並び、透過波スポットに関して回折波スポットは対照的に分布する（図５（ｂ））。そのため、回折図形の強度分布重心位置は透過波スポットと等しくなる（Ｐm＝Ｏm）。
【００４６】
もし、試料の方位が上記の場合より少し傾いた場合（図６（ａ））、エワルド球と逆格子点との交点は上記の場合よりずれる。しかし、ＴＥＭでは、回折スポットの位置はあまり変化しないため、晶帯軸Ａのときの回折像と似た像になり、回折スポットの強度分布が変化して、円弧状に励起されたスポットが存在するようになる（図６（ｂ））。この場合、回折図形の強度重心位置は透過波スポットと一致しない（Ｐm≠Ｏm）。このとき、強度重心位置と透過波スポットを結んだ線分の延長線上に低次の晶帯軸が存在することになる（図７）。
【００４７】
Ｐmの座標はすでに求めたので、次に、透過波スポットＯmの座標を求める。その方法は種々あるが、例えば、試料を微動させても存在するスポットが透過波スポットであるので、その座標を記憶する。その他の方法として、透過波スポットの位置は走査コイル２７に依存するため、予め走査コイル２７で電子線を走査し、透過波スポットの位置と走査コイルの電流値を共に記録しておき、分析の際、走査コイルの電流値から透過波スポットの位置を逆算してもよい。
【００４８】
次に、透過波スポットＯmと重心位置Ｐmの差をとり透過波スポットと重心位置の位置関係を調べる。もし、Ｏm−Ｐm＝０であれば、重心Ｐmは透過波スポットと重なっている（Ｓ５）。反対に、Ｏm−Ｐm≠０であれば、重心位置と透過波スポット位置は異なる（Ｓ５）。
【００４９】
重心位置と透過波スポットが異なる場合、電子線回折像Ｉmは晶帯軸Ａからずれている。試料の結晶方位を求めるために、シミュレーション回折像の試料を傾斜させ、電子線回折像と一致させる。
【００５０】
その方法は、まず、ＰmとＯmを結んだ線を作図する（図８）。直線ＰmＯmをＳ３で作成したシミュレーション回折像に重ねあわす（図９）。シミュレーション上でＰmＯm方向に試料を傾斜させる。傾斜させたシミュレーション回折像Ｉs′を作図する（Ｓ６）（図１０）。
【００５１】
傾斜後、シミュレーション回折像Ｉs′の透過スポットＯsと重心Ｐsの差Ｏs−Ｐsを透過スポットＯmと重心Ｐmの差Ｏm−Ｐmと比較する。任意に誤差範囲を設定し、範囲内で等しくなるまでＳ６を繰り返す（Ｓ７）。
【００５２】
Ｏs−ＰsとＯm−Ｐmが誤差範囲内で等しくなれば、傾斜させたシミュレーション回折像Ｉsと電子線回折像Ｉmを比較する。任意に誤差範囲を設定し、ＩsがＩmと誤差範囲内で一致しなければ、別の晶帯軸を求め、同様の処理を行う（Ｓ８）。任意に設定した誤差範囲内で回折スポットの位置が一致していれば、シミュレーション回折像と電子線回折像は等しいとみなす（Ｓ８）。シミュレーション回折像は、例えば、晶帯軸［ｕｖｗ］のｕ，ｖ，ｗの小さいほうから作成していくことができる。
【００５３】
ＩsとＩmの比較の際、全体の比較を行ってもよいが、回折スポットの実測結果には、周辺の情報をもらった、関係のない回折波が含まれていたり、回折スポットが理想的な丸いスポットとなっていなかったりする場合がある。この様な測定上の誤差を排除するため、各回折スポットを二次元分布としてとらえｍ×ｎ行列に整理し、各行列要素に回折スポットごとの回折強度をＩｍ（ｍ，ｎ）として割り当てることを行い、シミュレーションに対しても同様にＩｓ（ｍ，ｎ）として割り当てることを行い、Ｉｍ（ｍ，ｎ）とＩｓ（ｍ，ｎ）を比較することを行う。こうすることで、関係のない回折波の情報を排除することや、回折スポットが丸い形状でなくても強度のみで捉えることができるようになる。
【００５４】
Ｉsの試料傾斜角度を読み込み、それを試料の結晶方位とする（Ｓ９）。読み込んだ結晶方位は、例えば、ｘ軸，ｙ軸，ｚ軸の３軸の回転角で示してもよいし、オイラー角のように、例えば、ｘ軸，ｚ軸，ｘ軸の２軸の回転角で示してもよい。
【００５５】
［実施例２］
実施例１では１箇所の方位解析について例をあげた。次に、解析エリアを設定し、解析エリアの方位分布像を取得する方法の一例を紹介する。
【００５６】
走査コイル２７を用いて、収束させた電子線回折像表示モニター１１を試料面上で走査させる。解析エリアは図１の（１）で観察した明視野像または暗視野像から任意に指定する。解析エリア内の各点において、実施例１で示した方法により、電子線回折像を自動解析する。自動解析したデータは、解析箇所を示す固有なラベル、例えば解析エリアの画素座標などを用い、結晶方位解析部５に保存される。
【００５７】
取得した結晶方位データを、例えば方位により色分けし、解析エリアの結晶方位２次元分布像を作成してもよい。
【符号の説明】
【００５８】
１  電子線装置
２  ＥＤＸ分析部
３  電子線回折像解析部
４  物質同定部
５  結晶方位解析部（回折像演算部）
６  二次電子検出器
７  明視野像検出器
８  暗視野像検出器
９  ＥＤＸ検出器
１０  電子線回折像検出器
１１  電子線回折像表示モニター
１２  電子銃
１３  コンデンサーレンズ
１４  対物レンズ
１５  試料
１６，２０，２１  信号増幅器
１７  走査像表示部
１８  走査電源
１９  電子線装置制御部
２２  電子線
２３  表示部
２４  投射レンズ
２５  試料ホルダ
２６  試料微動装置
２７  走査コイル
１００  透過波スポット
１０１  回折波スポット
１０２  ｐｉｘｅｌ強度重心位置
１０３  低次の晶帯軸
１０４  傾斜方向（ＯＰ方向）
１０５  電子線回折像の透過波スポットと強度重心位置の距離（Ｏm−Ｐm）
１０６  シミュレーション回折像の透過波スポットと強度重心位置の距離（Ｏs−Ｐs）
２００  エワルド球
２０１  逆格子点
【図１】
2010256261.tif 000005
【図２】
2010256261.tif 000006
【図３】
2010256261.tif 000007
【図４】
2010256261.tif 000008
【図５】
2010256261.tif 000009
【図６】
2010256261.tif 000010
【図７】
2010256261.tif 000011
【図８】
2010256261.tif 000012
【図９】
2010256261.tif 000013
【図１０】
2010256261.tif 000014